(57)【要約】【課題】複数の円筒型太陽電池からなる太陽光発電装置を固定しないで設置する構造において、円筒型太陽電池を光公害を及ぼさず、効率的に反射光を照射して発電させることができる設置構造を提供すること。【解決手段】枠体により複数の円筒型太陽電池を平面内に平行又はほぼ平行に互いに所要間隔を隔てて配列保持すると共に前記枠体に取り付けた複数の脚部を設置面上に固定しないで設置する太陽光発電装置の設置構造であって、前記枠体に保持された複数の円筒型太陽電池が前記複数の脚部を介して設置される凹所形状の前記設置面と、前記凹所形状の設置面に配置される、透水性および保水性を備える板状材と、前記板状材上に搭載される白色系の花崗岩系主要構成物からなる粒度０．１〜５ｃｍ多数の小石とを具備した設置構造。【選択図】図３
2012234946.tif 000002
【特許請求の範囲】
【請求項１】
枠体により複数の円筒型太陽電池を平面内に平行又はほぼ平行に互いに所要間隔を隔てて配列保持すると共に前記枠体に取り付けた複数の脚部を設置面上に固定しないで設置する太陽光発電装置の設置構造であって、
前記枠体に保持された複数の円筒型太陽電池が前記複数の脚部を介して設置される設置面と、前記設置面に配置された、ほぼ全てが相異なる非平面形状の多数の白色系小石とを具備した、ことを特徴とする設置構造。
【請求項２】
前記小石が、白色系の花崗岩系主要構成物からなる粒度０．１〜５ｃｍの小石である、請求項１に記載の設置構造。
【請求項３】
枠体により複数の円筒型太陽電池を平面内に平行又はほぼ平行に互いに所要間隔を隔てて配列保持すると共に前記枠体に取り付けた複数の脚部を設置面上に固定しないで設置する太陽光発電装置の設置構造であって、
前記枠体に保持された複数の円筒型太陽電池が前記複数の脚部を介して設置される前記設置面と、前記設置面に配置された、透水性および保水性を備える板状材と、前記板状材上に固定された、白色系の花崗岩系主要構成物からなる粒度０．１〜５ｃｍの多数の小石とを具備した、ことを特徴とする設置構造。
【請求項４】
前記板状材は、透水性および保水性を有するブロック材が、複数、平面内に集合配置されてなると共に、前記小石は、複数個ずつ、各ブロック材表面にその一部分が埋め込み固定され、その残りの部分が各ブロック材表面から所要高さで突出した状態で配置されている、請求項３に記載の設置構造。
【発明の詳細な説明】
【技術分野】
【０００１】
本発明は、複数の円筒型太陽電池を平面内に平行又はほぼ平行に配置してなる太陽光発電装置においてその設置構造に関するものである。
【背景技術】
【０００２】
従来の太陽光発電装置においては、一般に、太陽電池を平面内に多数隙間無く配置して平面状となした太陽光発電パネルが広く普及している。この太陽光発電パネルは、周知されるように、発電能力が太陽光の照射角度に影響されるため、設置角度に制約があることに加えて、平面構造ゆえに風圧を過大に受け易いから、設置を強固に行う必要があるなどにより、設置コストが高くつくという欠点がある。
【０００３】
このような平面形状の太陽光発電パネルとは異なり、米国のソリンドラ社により開発された円筒型太陽電池は上記太陽光発電パネルのような欠点がないことが指摘されている。
【０００４】
すなわち、円筒型太陽電池は、３６０度全周面が発電可能なために、直射光に限らず、反射光、その他の光などによって発電可能であって発電効率がよく、また、円筒型太陽電池間を風が通過するので風圧に強いなどにより、円筒型太陽電池を固定しないで設置することが可能となり、設置が簡易で安価に済むという利点がある。
【０００５】
この設置に関して、従来では、図１２で示すように、四辺形状の枠体２０に複数の円筒型太陽電池２１を平面内に平行又はほぼ平行に配列保持し、この枠体２０に脚部２２を固定すると共にこの脚部２２を介して円筒型太陽電池２１を例えばビルの屋上面を設置面２３として配置するような設置構造であった。
【０００６】
このような円筒型太陽電池２１を多数配置し、その発電電力を特に業務用として利用するような場合、設置面２３が長期にわたり所期とおりの反射効率を維持して発電を効率的且つ安定的に供給できるようにすることが要求される。
【０００７】
図１２で示す従来の設置構造においては、発電効率向上のため設置面２３からの反射光をより効果的に利用できるようにする方策の１つとして、例えば設置面２３に光反射性樹脂塗料を塗布することが行なわれている。しかし、光反射性樹脂塗料を設置面２３に塗布した場合には、太陽光の照射角度の変化に伴い、光反射性樹脂塗料からの反射角度が一様に変化し、その反射角度によっては樹脂塗布した設置面２３からの反射光が周囲近隣に強すぎて、光公害を及ぼし得ることがある。一方、反射光が過度に強くならないようその強度を抑制したのでは、円筒型太陽電池２１の特徴である反射光の利用率が低下し、発電性能がその分、低下する。また、設置面２３は一般に塵埃で覆われると、その反射強度が低下し、また、設置面２３表面の凹凸に雨水などが溜まると、設置面２３に塗布した樹脂塗料に、雨水に溶け込んだ塵埃等の化学的酸化作用の影響で、樹脂塗料が早期に劣化しその反射効率が低下してきたり、あるいは物理的劣化で設置面２３から樹脂塗料が剥離してくるなど、の課題がある。また、設置面２３は夏季などで高温となると、樹脂塗料の劣化がより促進されて、反射光強度の早期低下と共に、発電効率が早期に低下してくるようになる。
【０００８】
なお、円筒型太陽電池それ自体も夏季などで高温となると、発電性能が低下してくるので冷却できるような設置構造が望ましいと共に、固定しないで上記設置面に設置すると、地震等の振動で設置位置がずれたりし易くその耐振動性高く設置できる設置構造も望ましい。
【先行技術文献】
【特許文献】
【０００９】
【特許文献１】特開２０１１−００１８００号公報
【特許文献１】特開２０１０−２８５８５５号公報
【発明の概要】
【発明が解決しようとする課題】
【００１０】
本発明は、設置が簡易安価に済むという長所を維持しつつ、設置面からの反射光が周囲に光公害を及ぼすことなく、また、劣化などもなく長期にわたり効果的に反射し、発電効率を向上させる円筒型太陽電池の設置構造を提供するものである。
【００１１】
本発明はまた、前記に加えて、さらに円筒型太陽電池を効率的に冷却し、かつ、耐振性に優れた円筒型太陽電池の設置構造を提供するものである。
【課題を解決するための手段】
【００１２】
本発明による太陽光発電装置の設置構造は、枠体により複数の円筒型太陽電池を平面内に平行又はほぼ平行に互いに所要間隔を隔てて配列保持すると共に前記枠体に取り付けた複数の脚部を設置面上に固定しないで設置する太陽光発電装置の設置構造であって、前記枠体に保持された複数の円筒型太陽電池が前記複数の脚部を介して設置される設置面と、前記設置面に配置された、ほぼ全てが相異なる非平面形状の多数の白色系小石とを具備したことを特徴とするものである。
【００１３】
好ましくは、前記小石が、白色系の花崗岩系主要構成物からなる粒度０．１〜５ｃｍ、より好ましくは、粒度０．１〜２ｃｍの小石である。
【００１４】
前記花崗岩系主要構成物は、石英、カリ長石、針長石、白雲母、普通角閃石の１種類以上が好ましい。
【００１５】
本発明の設置構造によれば、各脚部を設置面上に固定しないので設置が簡易で安価に済むと同時に、前記設置面上白色系の花崗岩系主要構成物からなる前記粒度の多数の小石を配置したので、複数の円筒型太陽電池は直射光だけでなく多数の小石による設置面からの反射光を利用することができると共に、これら多数の小石は表面形状が光を乱反射させ易い非平面の、換言すれば凹凸形状を有すると共に、ほぼ全てが相異なる凹凸形状を有するため、これら多数の小石で反射する反射光は複数の円筒型太陽電池をほぼ均等に効率的に照射するよう乱反射させることができる設置構造で、且つ、円筒型太陽電池が設置された場所の近隣に反射光を集中照射する、いわゆる光公害を及ぼすことがない環境に優しい設置構造である。
【００１６】
加えて、本発明の設置構造によれば、多数の小石で脚部下端を取り囲んだ状態で設置面上に設置しているので、地震等の振動が発生しても、各脚部は多数の小石のダンパ（衝撃緩衝）作用により、振動が吸収される結果、設置位置からのずれを抑制される。
【００１７】
本発明による太陽光発電装置の設置構造は、枠体により複数の円筒型太陽電池を平面内に平行又はほぼ平行に互いに所要間隔を隔てて配列保持すると共に前記枠体に取り付けた複数の脚部を設置面上に固定しないで設置する太陽光発電装置の設置構造であって、前記枠体に保持された複数の円筒型太陽電池が前記複数の脚部を介して設置される凹所形状の前記設置面と、前記凹所形状の設置面に配置された透水性および保水性を備える板状材と、前記板状材上に搭載された白色系の花崗岩系主要構成物からなる粒度０．１〜５ｃｍ多数の小石とを具備した、ことを特徴とする。
【００１８】
前記板状材は、透水性および保水性を有するブロック材が、複数、平面内に集合配置されると共に、各ブロック材表面に前記小石が複数それぞれ固定されて構成されていることが好ましい。このブロック材は、例えば特許第４２６３３８５等に開示されている舗装材のように、透水性および保水性に優れた成形コンクリート舗装材で構成することが好ましい。
【００１９】
本発明によれば、各脚部を設置面上に固定しないので設置が簡易で安価に済むと同時に、前記設置面上白色系の花崗岩系主要構成物からなる前記粒度の多数の小石を配置したので、小石により設置面からの反射光を利用することができると共に、こうした小石は天然石であり、表面形状が光を乱反射させ易い凹凸形状を有するため、多数の小石を配置しても、小石で反射する反射光は複数の円筒型太陽電池方向に均等に照射する一方、円筒型太陽電池が設置された場所の近隣には光公害を及ぼすような態様で光を照射することがなく環境に優しい。加えて、小石は吸水・保水性を有する板状材上に配置されているので、小石を介して通過した水分は板状材に吸水・保水され、円筒型太陽電池周囲の気温が上昇すると、板状材に含有する水分の蒸発による気化熱で円筒型太陽電池が冷却され、円筒型太陽電池の寿命向上や性能維持に寄与できる。さらに加えて、本発明第２の設置構造によれば、多数の小石で脚部下端を取り囲んだ状態で設置面上に設置しているので、地震等の振動が発生しても、各脚部は多数の小石のダンパ（衝撃緩衝）作用により、振動が吸収される結果、設置位置からのずれを抑制される。
【００２０】
なお、上記で天然石である小石であったが、人工石としては粒度０．１〜５ｃｍ、より好ましくは粒度０．１〜２ｃｍで、且つ、表面が吸水性を有し、且つ、内部が保水性を有する小石とすれば、その小石に水分を吸水・保水させ、円筒型太陽電池周囲の気温が上昇すると、小石からそれに含有する水分を蒸発させ、その蒸発による気化熱で円筒型太陽電池を冷却することもできる。
【００２１】
本発明による設置構造は、複数の円筒型太陽電池を平面内に平行又はほぼ平行に配列してなる太陽光発電装置と、前記太陽光発電装置の出力を電源として利用する電気設備と、を含む太陽光利用システムに対して、前記複数の円筒型太陽電池の設置に利用することができる。
【発明の効果】
【００２２】
本発明によれば、複数の円筒型太陽電池からなる太陽光発電装置を固定しないで設置する設置構造において、周囲に光公害を及ぼすように光が反射しないで、発電効率が高まるようこの反射光を複数の円筒型太陽電池に乱反射させることができる設置構造を安価に提供することができる。
【００２３】
また、本発明によれば、円筒型太陽電池を脚部により設置面に設置した際に、円筒型太陽電池を効率的に冷却でき、特に、円筒型太陽電池を固定設置しないにもかかわらず、地震等の振動に強い設置構造を安価に提供することができる。
【図面の簡単な説明】
【００２４】
【図１】図１（ａ）は円筒型太陽電池の側面図、図１（ｂ）は図１（ａ）のＡ−Ａ線の断面図、図１（ｃ）は円筒型太陽電池に対する太陽光の照射の説明に用いる図である。
【図２】図２（ａ）は太陽光発電装置の概略斜視図、図２（ｂ）は太陽光発電装置の拡大横側面図である。
【図３】図３は本発明の実施形態に係る太陽光発電装置の設置構造を示す図である。
【図４】図４は図３の要部を拡大して示す図である。
【図５】図５は実施形態にける小石により太陽光が乱反射されている様子を概念的に示す図である。
【図６】図６は本発明の他の実施形態に係る太陽光発電装置の設置構造を示す図である。
【図７】図７はブロック材が集合配置された状態を示す図である。
【図８】図８はブロック材とそのブロック材に配置された小石との拡大側面図である。
【図９】図９はブロック材の他の例の一部構造を拡大して示す図である。
【図１０】図１０はブロック材に含む水分が蒸発して円筒型太陽電池を冷却している様子を概念的に示す図である。
【図１１】図１１は太陽光発電装置に振動が加えられた場合の小石の振動抑制効果の説明に用いる図である。
【図１２】図１２は従来の円筒型太陽電池の設置構造を概念的に示す図である。
【発明を実施するための形態】
【００２５】
以下、添付した図面を参照して、本発明の実施の形態に係る太陽光発電装置の設置構造を詳細に説明する。
【００２６】
まず、図１を参照して、同太陽光利用システムで用いる円筒型太陽電池を説明する。図１（ａ）は、円筒型太陽電池の側面、図１（ｂ）は図１（ａ）のＡ−Ａ線に沿う断面図である。この円筒型太陽電池１は、内管２と、外管３との二重管構造であり、内管２の外周面に発電層として銅、インジウム、ガリウム、セレンの４つの元素からなる化合物半導体膜（ＣＩＧＳ膜）４を形成し、この化合物半導体膜４の外面と外管３の内面との間に集光促進層５を形成して、円筒型に形成されたものである。外管３の両端は金属キャップ６で密閉されている。両端には電極７が突出しており、両端の電極３間に直流電力を出力するようになっている。この円筒型太陽電池１は、外周が円筒型で全周３６０度太陽光照射であるために、図１（ｃ）で示すように、直射光だけでなく、散乱光、反射光も、発電のために利用することができ、発電効率が高い。
【００２７】
図２を参照して、上記図１で説明した円筒型太陽電池を複数備えて構成される太陽光発電装置を説明する。図２（ａ）は太陽光発電装置の概略斜視図、図２（ｂ）は太陽光発電装置の拡大横側面図である。
【００２８】
これらの図を参照して、太陽光発電装置１０は、複数の円筒型太陽電池１１を含み、これら複数の円筒型太陽電池１１は、対向する一対のＬ型の枠体１２により、平面内で互いに平行に又はほぼ平行に配列保持されている。枠体１２は、垂直枠部１２ａと、水平枠部１２ｂとでＬ型になっている。図示例では、枠体１２は説明の都合で対向する一対で示すが、この枠体１２と直交する方向で対向する一対の枠体を含め、全体で四辺形状にして円筒型太陽電池を配列保持してもよい。こうして枠体１２に配列保持された円筒型太陽電池１１は、枠体１２を含めて太陽電池モジュールと称してもよい。
【００２９】
枠体１２には脚部１３が等間隔に複数取り付けられている。脚部１３の個数や形態等は、円筒型太陽電池の配列個数や重量等に応じて決めることができる。
【００３０】
対向する一対の枠体１２の垂直枠部１２ａの側面には電力取出電極１２ｂが設けられている。電力取出電極１２ｂは、円筒型太陽電池１１の配列方向に沿って帯状に設けられている。電力取出電極１２ｂは、円筒型太陽電池１１の両端から突出する電極１１ａに接触する。この接触により円筒型太陽電池１１の出力電力は、電力取出電極２５ｂに取り出される。各円筒型太陽電池１１は、それぞれの両端電極１１ａが、電力取出電極１２ｂに共通接触することで、互いに並列接続されることになる。各枠体１２には、電力ケーブル１４が取り付けられている。電力ケーブル１４は、一端側が電力取出電極１２ｂに図示略の構造により接続されている。
【００３１】
枠体１２の水平枠部１２ｂの底面には、円筒型太陽電池１１の設置部（図示略）が形成されている。この設置部は円筒型太陽電池１１の配列間隔に合わせて形成されている。
【００３２】
太陽光発電装置１０は、設置環境に合わせて、枠体１２への円筒型太陽電池１１の配列個数を設定したり、円筒型太陽電池１１の配列間隔を調整したり、円筒型太陽電池の設置高さを調整したりすることが好ましい。
【００３３】
図３および図４を参照して太陽光発電装置１０の設置構造を説明する。図３は本発明の実施形態に係る太陽光発電装置の設置構造を示す図、図４は図３の要部を拡大して示す図である。これらの図に示す設置構造は、太陽光発電装置１０が設置されるもので凹所面を有する設置面１５と、その設置面１５に敷き詰められる多数の小石１６とを含む。多数の小石１６は、脚部１３を取り囲むように設置面１５に置かれる。これら小石１６は、ほぼ全てが相異なる非平面形状の多数の白色系小石であり、例えば白色系の花崗岩系主要構成物からなる多数の小石で構成される。非平面形状とはタイル状、板状など平面を有する形状以外の形状であり、また、これら小石１６は、ほぼ全てが相異なる非平面形状であるので、これら小石１６が敷き詰められている設置面１５に同じ入射角度で太陽光が照射されても、その反射光は、ほとんど全てが多数の小石１６で乱反射される。また、その太陽光の入射角度が午前から午後へと変化していっても、その乱反射状態はほぼ同様である。これら小石１６の一例である玉砂利、大理石、等の花崗岩系鉱石の主要構成物としては、石英、カリ長石、針長石、白雲母、普通角閃石、等がある。小石１６は、粒度が０．１〜５ｃｍ、好ましくは、粒度２〜３ｃｍである。小石１６は、好ましくは、粒度０．１〜２ｃｍの小石と粒度３〜５ｃｍの小石とがほぼ１：１の割合で混じっている。粒度がこのように分布することにより、小石の表面形状および表面色と相俟って太陽光はより効果的に乱反射される。
【００３４】
このような小石１６は、白色系で且つ表面形状が非平面形状、すなわち、光を乱反射させ易い凹凸を有する形状を有する。小石６は、脚部１３下端を取り囲むように設置面１５に敷き詰めて設置される。
【００３５】
図５を参照して、設置面１５上方に配列した円筒型太陽電池１１に太陽光１７が照射されると、円筒型太陽電池１１には太陽光１７が直射される。
【００３６】
円筒型太陽電池１１に直射されずに円筒型太陽電池１１間を通過した太陽光１７は、小石１６が白色系で且つ表面形状が非平面形状、すなわち、光を乱反射させ易い凹凸を有する形状を有するので、これら小石１６の外表面で乱反射され、各円筒型太陽電池１１それぞれをほぼ均等に照射することができる。
【００３７】
この場合、小石１６のほぼ全てが相異なる非平面形状の白色系小石であるために、太陽光１７が日中のどの時間帯において、設置面１５への入射角度が変遷していっても、乱反射状態が一様となり、円筒型太陽電池１１を効果的に乱反射光で照射させることができ、円筒型太陽電池１１の発電効率を大きく向上させることができる。
【００３８】
上記設置構造では、太陽光は日中のどの時間帯においても小石１６により乱反射されて円筒型太陽電池１１をほぼ均等に照射する一方、円筒型太陽電池１１が設置された場所の近隣に日中のどの時間帯においても、また、どの地域の近隣に対して、反射光が集中させるような時間帯がなくなり、反射光が集中することによる光公害を及ぼすといったことがなくなり、環境に優しい設置構造となる。
【００３９】
また、上記光公害を回避するため従来では反射光が過度に強くならないようその強度を抑制していたが、実施形態では、小石１６により設置面での反射光が円筒型太陽電池１１に向けて効率的に乱反射し、光公害を無くすことができるので、小石１６の表面色を反射光を抑制するため暗い表面色ではなく、明るい表面色である白色系統にすることができ、円筒型太陽電池２１の特徴である反射光の利用率を高め、発電性能を飛躍的に向上させることができる。
【００４０】
また、本実施形態では、小石１６を花崗岩系主要構成物として、石英、カリ長石、針長石、白雲母、普通角閃石、等としたので、小石１６の表面には塵埃が付きにくく、したがって、長期にわたり、反射強度を高く維持することができる。さらに、小石１６は、樹脂塗料とは異なって、雨水に溶け込んだ塵埃等の化学的酸化作用が作用しにくく、長期にわたり、反射効率を高く維持でき、さらには、物理的劣化はほとんどなく、また、夏季などの高温時でも、反射光強度の低下は無く、反射光により、円筒型太陽電池１１に対しての発電効率を高く長期にわたり維持することができ、業務用として用いた場合に特に有用である。
【００４１】
以上説明したように本実施形態の設置構造は、従来の設置面に光反射性樹脂塗料を塗布した設置構造とは異なって、太陽光の照射角度が変化しても円筒型太陽電池には一様に乱反射光を照射し発電効率を一定に維持することができ、また、従来の設置構造とは異なって、反射角度によって設置面からの反射光が周囲近隣に強すぎて、光公害を及ぼすといったことがない。また、本実施形態の設置構造では、小石１６を白色系の花崗岩系主要構成物で構成するので、従来の設置構造のように設置面が塵埃で覆われて反射強度が低下したり、設置面の凹凸に溜まった雨水に溶け込んだ塵埃等の化学的酸化作用の影響で、樹脂塗料が早期に劣化しその反射効率が低下してきたり、あるいは物理的劣化で設置面から樹脂塗料が剥離してくるなど、の課題が無い設置構造である。
【００４２】
図６〜図９を参照して本発明の他の実施形態に係る設置構造を説明する。図６は本発明の他の実施形態に係る太陽光発電装置の設置構造を示す図、図７は複数のブロック材が同一平面内に集合配置された状態を示す図、図８は１つのブロック材の拡大側面図である。この設置構造は、路面が設置面とされるものである。なお、図解の都合で、図７の各ブロック材のうち、いくつかのブロック材１９にのみ小石１６を配置した状態で示し、他のブロック材１９には小石１６の配置の図示を略しているが、全てのブロック材１９に小石１６が埋め込み配置されている。図８では、ブロック材１９に小石１６がその一部を埋め込まれた状態を示すため、部分的に円Ａ内にその埋め込み状態の断面構造を拡大して示す。小石１６は一部、好ましくは、全体のうちの３分の２程度が埋め込まれて固定され、残部がブロック材１９表面から所要高さで突出している。
【００４３】
設置面１５に透水性・保水性の薄板状ブロック材１９が、円筒型太陽電池の設置状態に応じて、透水性および保水性を備える板状材として、複数集合し縦横密に配置される。
【００４４】
ブロック材１９は、周縁部に丸みを付けられた矩形形状のものでかつ該保水性と透水性に優れ、比較的比重が小さく、適度な強靱性を備える材料で構成することができる。
【００４５】
ブロック材１９は、透水性に富み曲げ強度、圧縮強度及び保水性に優れた成形コンクリート舗装材で構成することができる。
【００４６】
ブロック材１９は、例えば、地球環境保全のための建設リサイクル法の施行に伴い、多量に発生する廃コンクリ−ト材を全量再生利用することを目的として開発した、透水性及び保水性に優れた舗装材料で構成することができる。
【００４７】
ブロック材１９は、透水性及び保水性を有するブロック材であれば、特に限定しないが、例えば特許第４２６３３８５号の成形コンクリート舗装材で構成することができる。
【００４８】
この成形コンクリート舗装材は、骨材として廃コンクリート材を粉砕して得られた、粒度０．３ｍｍ以下の粒子の含有量が５重量％以下であり、粒度５ｍｍ以上の粒子の含有量が３重量％以下である廃コンクリート粒子のみを用い、これに対して、セメントを１７重量％（乾量）以上、２０重量％（乾量）以下を加え、更にこれらの固形分重量に対して水分を１５％以上、２５％以下を加えて混合した、見かけ上殆ど乾燥状態の混合物を調製し、高振動と高圧縮を併用して乾式成形し即時脱型工程によって成形物を得た後、スチームで飽和した雰囲気中で２４時間以上養生してなる、透水係数が１．０５×１０-2ｃｍ／ｓｅｃ以上であり、曲げ強度、圧縮強度及び保水性に優れた成形コンクリート舗装材である。
【００４９】
あるいは、この成形コンクリート舗装材は、廃コンクリート材を粉砕して得られた、粒子径が  ０．６ｍｍ以下の粒子の含有量が１０重量％以下であり、粒子径が  ２．５ｍｍ以上の粒子の含有量が２０重量％以下である、前記透水係数が１．０５×１０-2ｃｍ／ｓｅｃ以上であり、曲げ強度、圧縮強度及び保水性に優れた成形コンクリート舗装材である。
【００５０】
あるいは、この成形コンクリート舗装材は、上記成形コンクリート舗装材において、その曲げ強度が  ３．０Ｎ／ｍｍ2以上の圧縮強度及び保水性に優れた成形コンクリート舗装材である。
【００５１】
各ブロック材１９の上面には、前記した白色系の花崗岩系主要構成物からなる粒度０．１〜５ｃｍ程度、好ましくは、粒度０．１〜２ｃｍ程度の多数の小石１６が所要の配置密度でその一部、好ましくは、ほぼ３分の２程度が埋め込み固定され、残部のほぼ３分の１程度がブロック材１９表面から所要高さで突出している。
【００５２】
ブロック材１９は、平面形状が例えば２５〜３０ｃｍ程度の長方形で、厚さ３．５ｃｍ程度の板状である。このブロック材１９に固定される小石１６は、好ましくは、例えば粒度０．５ｃｍ程度の小石と粒度１．０ｃｍ程度の小石とがほぼ１：１の割合で混合されている。
【００５３】
図９を参照して、設置面１５における設置構造は、ブロック材１９と小石１６との２層構造であるので、雨天あるいは水散布等による水分は、ブロック材１９に吸水且つ保水される。そして、温度が上昇すると、ブロック材１９に保水されている水分が蒸発１８すると、水分が蒸発したときの気化熱により円筒型太陽電池１１は冷却される。このようにブロック材１９からの蒸発した水分が気化する際の熱により、円筒型太陽電池１１は冷却されるので、その寿命や性能は維持される。
【００５４】
以上の本実施形態の設置構造では、設置面１５に、多数の小石１６が埋め込み固定された複数のブロック材１９が設置された構造であるので、まず、多数の小石１６の表面における乱反射により、各円筒型太陽電池１１全体の発電効率が大きくなる設置構造であり、朝昼夕いずれの時間帯においても、小石１６での乱反射光が、設置面１５周囲へ眩しさを感じるような強度（光公害）で照射されないことに加えて、周囲温度が上昇した場合には小石１６を埋め込み固定してある複数のブロック材１９に保水された水分が蒸発し、その気化熱で各円筒型太陽電池１１が冷却され、その発電効率がより向上する。
【００５５】
前記ブロック材１９の他の例としては、図１０で示すように、例えば透水層１９ａと、フィルタ層１９ｂと、保水層１９ｃとの３層とし、表層１９ａは降雨時などに水分を透水する透水性を備えた表層であり、例えば、多孔質のセラミックスで構成することができる。フィルタ層１９ｂは、表層を通過した雨水等の水分を保水層に浸透させ、且つ、浸透水分による軟弱化等を防止する層であり、例えば、砂などの細骨材で構成することができる。保水層１９ｃは、浸透してきた水分を保水する層であり、例えば石炭フライアッシュで構成することができる。
【００５６】
なお、図１１を参照して、設置面１５上の太陽光発電装置１０に対して、地震等の振動が作用すると、太陽光発電装置１０は、設置面１５に固定設置されていないので、設置面１５上をその振動方向に移動しようとする。しかし、設置面１５は底面１５ａとその底面四週の側面１５ｂとで囲む凹所面形状になっており、実施形態１では小石１６が、図１１で示すように、また、実施形態２では図示しないが、ブロック材１９上の小石１６が、設置面１５内に配置されて、太陽光発電装置１０の脚部１３周囲を取り囲んでいる。
【００５７】
したがって、太陽光発電装置１０の脚部１３に地震等の振動が作用し、当該脚部１３を介して太陽光発電装置１０が設置面１５上を種々な方向に移動しようとしても、多数の小石１６が、脚部１３に対して、太陽光発電装置１０の上記移動を阻止する方向に緩衝する、いわゆるダンパとして作用する。そのため、太陽光発電装置１０はその振動に対して位置ずれすることが抑制される。
【符号の説明】
【００５８】
１０  太陽光発電装置
１１  円筒型太陽電池
１２  枠体
１３  脚部
１４  電力ケーブル
１５  設置面
１６  小石
１９  ブロック材
【図１】
2012234946.tif 000003
【図２】
2012234946.tif 000004
【図３】
2012234946.tif 000005
【図４】
2012234946.tif 000006
【図５】
2012234946.tif 000007
【図６】
2012234946.tif 000008
【図７】
2012234946.tif 000009
【図８】
2012234946.tif 000010
【図９】
2012234946.tif 000011
【図１０】
2012234946.tif 000012
【図１１】
2012234946.tif 000013
【図１２】
2012234946.tif 000014